(57)【特許請求の範囲】
【請求項１】
基板上に搭載されるレセプタクルと、前記レセプタクルに接続されるプラグとからなるコネクタであって、
前記レセプタクルは、開口を有すると共に内部に接続端子を収容する略角筒状の金属板で形成されたシールドケースを有し、
前記プラグは、内部に接続端子を収容し、前記レセプタクルのシールドケースに挿入される略角筒状の金属板で形成されたシールドケースを有し、
前記プラグのシールドケースを前記レセプタクルのシールドケースに挿入することにより、前記プラグの接続端子と前記レセプタクルの接続端子とが電気的に接続されるようになっており、
前記レセプタクルは、前記レセプタクルの開口側において、前記レセプタクルのシールドケースの前記基板に搭載される側の底面をなす金属板の中央部分を前記レセプタクルのシールドケースの上面側に折り曲げて立ち上げた誤挿入防止案内片を有し、前記プラグのシールドケースの底面をなす金属板には前記誤挿入防止案内片に対応する凹部が形成され、前記プラグを前記レセプタクルに接続する際に、前記誤挿入防止案内片が前記凹部に挿嵌するようになっていることを特徴とするコネクタ。
【請求項２】
前記誤挿入防止案内片は１以上の切欠きを有し、前記プラグの前記凹部の内側には、前記切欠きに対応する１以上の凸部が形成されている請求項１記載のコネクタ。
【請求項３】
前記レセプタクルの前記シールドケースの前記上面には、前記プラグが前記レセプタクルに挿嵌された際に、前記プラグの前記シールドケースの上面に形成された凹部に係合する弾性係止片が形成されている請求項１または２に記載のコネクタ。
【請求項４】
基板上に搭載されて用いられ、内部に接続端子を収容する略角筒状の金属板で形成されたシールドケースを備えたプラグが挿嵌される開口を有しているコネクタ用レセプタクルであって、
前記レセプタクルは、前記プラグのシールドケースが前記開口を通じて挿嵌されるようになっている略角筒状の金属板で形成されたシールドケースを有し、前記レセプタクルのシールドケースは内部に接続端子を収容しており、前記プラグのシールドケースが前記レセプタクルのシールドケースに挿入されることにより、前記プラグの接続端子と前記レセプタクルの接続端子とが電気的に接続されるようになっており、
前記レセプタクルは、前記レセプタクルの開口側において、前記レセプタクルのシールドケースの前記基板に搭載される側の底面をなす金属板の中央部分を前記レセプタクルのシールドケースの上面側に折り曲げて立ち上げた誤挿入防止案内片を有し、前記プラグを前記レセプタクルに接続する際に、前記誤挿入防止案内片が前記プラグのシールドケースの底面をなす金属板に形成された凹部に挿嵌するようになっていることを特徴とするコネクタ用レセプタクル。
【発明の詳細な説明】
【技術分野】
【０００１】
本発明はレセプタクルとプラグにより構成されたコネクタ、コネクタ用レセプタクル、及びコネクタ用プラグに関する。
【背景技術】
【０００２】
一般に、プラグとレセプタクルからなる小型コネクタは、プラグがレセプタクルに例えば逆向きなどの誤った向きで挿入されること（以下、「誤挿入」とする）を防止するために、誤挿入防止手段が設けられている。
【０００３】
そのような誤挿入防止手段としては、レセプタクルのシールドケースのプラグ嵌合口下部に一定のスペースを設け、当該スペースに誤挿入防止用の突起を設ける方法が知られている。
【０００４】
また他の方法としては、プラグのシールドケースとレセプタクルのシールドケースの上下左右を非対称とする方法や、ミニＵＳＢコネクタに代表されるようにプラグのシールドケースとレセプタクルのシールドケースの嵌合口上側角部をＣ面に構成する方法がある。
【発明の開示】
【発明が解決しようとする課題】
【０００５】
従来のプラグ嵌合口下部に誤挿入防止用の突起を設ける方法では、そのような突起を設けるためのスペースの分だけレセプタクルの幅が広くなったり高さが高くなったりしてしまい、コネクタをさらに小型化するのが困難であるという問題点がある。
【０００６】
また、レセプタクルのシールドケースの嵌合口上側角部をＣ面に構成する方法では、プラグがレセプタクルに斜めに挿入された場合に十分に対応できない。また、コネクタをより小型化した場合には、そのようなＣ面を設けていても、逆向きでプラグをレセプタクルに無理やり挿入できてしまうという問題点もある。
【０００７】
本発明は、従来のコネクタにおける以上のような問題に鑑みなされたもので、コネクタを小型化した場合でも、プラグのレセプタクルに対する誤挿入および斜め挿入を確実に防止できるコネクタ、コネクタ用レセプタクル、及びコネクタ用プラグを提供することを目的とする。
【課題を解決するための手段】
【０００８】
本発明に係るコネクタは、基板上に搭載されるレセプタクルと、前記レセプタクルに接続されるプラグとからなるコネクタであって、前記レセプタクルは、開口を有すると共に内部に接続端子を収容する略角筒状の金属板で形成されたシールドケースを有し、前記プラグは、内部に接続端子を収容し、前記レセプタクルのシールドケースに挿入される略角筒状の金属板で形成されたシールドケースを有し、前記プラグのシールドケースを前記レセプタクルのシールドケースに挿入することにより、前記プラグの接続端子と前記レセプタクルの接続端子とが電気的に接続されるようになっており、前記レセプタクルは、前記レセプタクルの開口側において、前記レセプタクルのシールドケースの前記基板に搭載される側の底面をなす金属板の中央部分を前記レセプタクルのシールドケースの上面側に折り曲げて立ち上げた誤挿入防止案内片を有し、前記プラグのシールドケースの底面をなす金属板には前記誤挿入防止案内片に対応する凹部が形成され、前記プラグを前記レセプタクルに接続する際に、前記誤挿入防止案内片が前記凹部に挿嵌するようになっていることを特徴とする。
【０００９】
本発明に係るコネクタは、前記誤挿入防止案内片が１以上の切欠きを有し、前記プラグの前記凹部の内側には、前記切欠きに対応する１以上の凸部が形成されていることが好ましい。
【００１１】
本発明に係るコネクタは、前記レセプタクルの前記シールドケースの前記上面には、前記プラグが前記レセプタクルに挿嵌された際に、前記プラグの前記シールドケースの上面に形成された凹部に係合する弾性係止片が形成されていることが好ましい。
【００１２】
本発明に係るコネクタ用レセプタクルは、基板上に搭載されて用いられ、内部に接続端子を収容する略角筒状の金属板で形成されたシールドケースを備えたプラグが挿嵌される開口を有しているコネクタ用レセプタクルであって、
前記レセプタクルは、前記プラグのシールドケースが前記開口を通じて挿嵌されるようになっている略角筒状の金属板で形成されたシールドケースを有し、前記レセプタクルのシールドケースは内部に接続端子を収容しており、前記プラグのシールドケースが前記レセプタクルのシールドケースに挿入されることにより、前記プラグの接続端子と前記レセプタクルの接続端子とが電気的に接続されるようになっており、前記レセプタクルは、前記レセプタクルの開口側において、前記レセプタクルのシールドケースの前記基板に搭載される側の底面をなす金属板の中央部分を前記レセプタクルのシールドケースの上面側に折り曲げて立ち上げた誤挿入防止案内片を有し、前記プラグを前記レセプタクルに接続する際に、前記誤挿入防止案内片が前記プラグのシールドケースの底面をなす金属板に形成された凹部に挿嵌するようになっていることを特徴とする。
【発明の効果】
【００１４】
請求項１記載の本発明に係るコネクタは、コネクタを構成するレセプタクルの開口側において、レセプタクルのシールドケースの基板に搭載される側の底面をなす金属板の中央部分をレセプタクルのシールドケースの上面側に折り曲げて立ち上げた誤挿入防止案内片を有しているため、レセプタクルのシールドケースのプラグ嵌合部下部等に誤挿入防止用の突起を設けるためのスペースを確保する必要がない。このため、レセプタクルの薄型化及び小型化を図ることができる。また、プラグのシールドケースの底面をなす金属板にはレセプタクルの誤挿入防止案内片に対応する凹部が形成されており、プラグとレセプタクルを接続する際に、誤挿入防止案内片がこの凹部に挿嵌するようになっている。このため、誤挿入された際にも誤挿入防止案内片が凹部の存在しない部分と干渉し、逆向きの誤挿入を効果的に防止することができる。また、誤挿入防止案内片により凹部が案内されるため、プラグの斜め方向からの好ましくない挿入も防止することができる。
また、請求項１記載の本発明に係るコネクタは、レセプタクルが基板上に搭載されるレセプタクルであり、誤挿入防止案内片は、レセプタクルのシールドケースの底面に形成されており、また、プラグの凹部は、プラグのシールドケースの底面に形成されている。このため、プラグが逆向きに誤挿入された場合でも誤挿入防止案内片の下部は基板により支持され、誤挿入防止案内片の基板側方向への湾曲や変形を防止することができる。
【００１５】
請求項２記載の本発明に係るコネクタは、誤挿入防止案内片が１以上の切欠きを有し、プラグの凹部の内側には、前記切欠きに対応する１以上の凸部が形成されている。このため、これら切欠きと凸部を形成する位置を適宜変更することにより、適応しないレセプタクルへプラグを誤って挿入することを防止することができる。
【００１７】
請求項４記載の本発明に係るコネクタは、レセプタクルのシールドケースの上面には、プラグがレセプタクルに挿嵌された際に、プラグのシールドケースの上面に形成された凹部に係合する弾性係止片が形成されているため、プラグの脱落を効果的に防止することができる。
【発明を実施するための最良の形態】
【００１８】
以下、添付図面を参照しつつ本発明に係る実施形態のコネクタについて詳細に説明する。本実施形態のコネクタは、基板上１１に搭載されるレセプタクル１と、レセプタクル１に接続されるプラグ５とからなるコネクタであって、レセプタクル１は、開口１ａを有すると共に内部に複数の接続端子３１を収容する略角筒状のシールドケース２を有し、プラグ５は、内部に接続端子７１を収容し、レセプタクル１のシールドケース２に挿入される略角筒状のシールドケース６を有し、プラグ５のシールドケース６をレセプタクル１のシールドケース２に挿入することにより、プラグ５の接続端子７１とレセプタクル１の接続端子３１とが電気的に接続されるようになっており、レセプタクル１は、シールドケース２の開口１ａにおいて、シールドケース２の一部を前記開口１ａ内部へ折り曲げて立ち上げた誤挿入防止案内片２３を有し、プラグ５のシールドケース６には誤挿入防止案内片２３に対応する凹部６３が形成され、プラグ５をレセプタクル１に接続する際に、誤挿入防止案内片２３が凹部６３に挿嵌するようになっていることを特徴とする。
【００１９】
最初に、図１ないし図５を参照しつつ、本実施形態のコネクタに用いるレセプタクル１を説明する。このレセプタクル１は、図１及び図５に示すように、略角筒状のシールドケース２と、シールドケース２の内部に収容された接続端子部３と、シールドケース２の内部に収容されたハウジング４とを有する。そして、図２及び図５に示すように、レセプタクル１は基板１１上に搭載される。
【００２０】
シールドケース２は、所定形状に打ち抜かれた一枚の導電性の金属板を折り曲げて略角筒状に形成したものである。レセプタクル１が搭載される基板１１側の面、即ち基板１１に向かい合う面である底面２１（図４参照）と、その底面２１の反対側の上面２６と、これら底面２１と上面２６との間に位置する側面２８（図１参照）とを有している。
【００２１】
図４に示すように、シールドケース２は、底面２１の開口１ａ側の中央部分において、開口１ａの内部に折り曲げて立ち上げた誤挿入防止案内片２３を有する。この誤挿入防止案内片２３は、後述するように、レセプタクル１へプラグ５が挿入された際に、プラグ５のシールドケース６の底面６１に形成されている凹部６３を案内しつつ当該凹部６３と嵌合する（図１１参照）。
【００２２】
図１に示すように、上面２６の略中央には弾性係止片２７が形成されている。この弾性係止片２７は上面２６の打ち抜き加工により形成されている。後述するように、レセプタクル１へプラグ５が挿入された際に、この弾性係止片２７は、プラグ５のシールドケース６の上面６６に形成されている凹部６７と係合する（図６参照）。
【００２３】
図１に示すように、レセプタクル１のシールドケース２の２つの側面２８は、それぞれの上部角部に設けたＣ面２８ａと、それぞれの下端部に設けた一対の係合突起２９とを有している。このＣ面２８ａの形状は、後述するようにプラグ５のシールドケース６の側面６８に形成されているＣ面６８ａの形状に対応した形状を有している（図７参照）。
【００２４】
図１に示されている係合突起２９は、レセプタクル１を基板１１上に固定するための部材である。すなわち、図２及び図５に示すように、レセプタクル１を基板１１に搭載した際に、基板１１に形成した取付け孔１１ａに挿入された後、基板１１の表面側において半田付けされる。
【００２５】
図２及び図５に示すように、レセプタクル１の接続端子部３は、複数の接続端子３１と、この接続端子３１を支持する平板状の端子支持部３２と、複数の背面接続端子３３とを有する。各接続端子３１と各背面接続端子３３は一本の導電性金属片から形成されており、図５に示すようにハウジング４を貫通するように設けられている。また、各接続端子３１は、端子支持部３２の下方に配置され、プラグ５とレセプタクル１が接続された際に、後述するプラグ５の接続端子部７の対応する各接続端子７１と接触し、電気的に接続される。なお、背面接続端子３３は、基板１１上の接続個所（図示せず）に半田付けされる（図５参照）。
【００２６】
図５に示すハウジング４は、絶縁体である樹脂成型品であり、上記端子支持部３２と一体に形成されると共に、シールドケース２を支持している。
【００２７】
次に、図６ないし図１０を参照しつつ、本実施形態のコネクタに用いるプラグ５を説明する。このプラグは、略角筒状のシールドケース６と、シールドケース６の内部に収容された接続端子部７と、シールドケース６の基部に設けられたプラグ本体５１とを有する。そして、図６に示すように、プラグ５はコード５２に接続されている。
【００２８】
図６及び図７に示すように、シールドケース６は、導電性の金属板を略角筒状に形成したものであり、レセプタクル１のシールドケース２の底面２１と対応する面である底面６１（図７参照）と、その底面６１の反対側の上面６６と、これら底面６１と上面６６との間に位置する側面６８とを有している。
【００２９】
図１０に示すように、底面６１の中央には、凹部６３が形成されており、プラグ５をレセプタクル１に接続する際に、レセプタクル１の誤挿入防止案内片２３と嵌合するようになっている。この凹部６３の幅寸法は、レセプタクル１とプラグ５との挿嵌を容易にするために、誤挿入防止案内片２３の幅寸法よりも僅かに小さくなっている。
【００３０】
図９に示すように、上面６６の略中央には凹部６７が形成されている。この凹部６７は、レセプタクル１へプラグ５が挿入された際に、レセプタクル１のシールドケース２の上面２６に形成されている弾性係止片２７と係合し、プラグ５とレセプタクル１をより確実に接続する。
【００３１】
図７に示すように、２つの側面６８は、それぞれ上部角部に設けたＣ面６８ａを有している。このＣ面６８ａの形状は、プラグ５のシールドケース２の側面２８に形成されているＣ面２８ａの形状に対応した形状を有している。
【００３２】
図７に示す接続端子部７は、複数の接続端子７１と、この接続端子７１を支持する端子支持部７２とを有する。複数の接続端子７１は、プラグ本体５１の内部においてコード５２の各単線（図示せず）に接続されている。
【００３３】
以下、本実施形態の作用効果について説明する。
本実施形態のプラグ５とレセプタクル１との接続は、図１１に示すように、プラグ５のシールドケース６をレセプタクル１のシールドケース２の内部へ挿入することにより行う。挿入の際には、誤挿入防止案内片２３により凹部６３が案内され、誤挿入防止案内片２３と凹部６３とが嵌合し、プラグ５のシールドケース６が完全にレセプタクル１のシールドケース２の内部に確実に挿入することができる。また、誤挿入防止案内片２３により凹部６３が案内されるため、プラグ５の斜め方向からの好ましくない挿入も防止することができる。
【００３４】
一方、プラグ５の底面６１がレセプタクル１の上面２６側になるように逆向きに誤挿入した場合には、プラグ５のシールドケース６の上面端部６６ａ（図６参照）が誤挿入防止案内片２３と干渉するため、プラグ５をレセプタクル１の内部へ挿入することができない。このため、プラグ５のレセプタクル１に対する逆向きの誤挿入を確実に防止できる。
【００３５】
また本実施形態のレセプタクル１とプラグ５は、それぞれＣ面２８ａとＣ面６８ａを有しているため、より効果的に逆向きの誤挿入を防止することができる。なお、本実施形態においてはＣ面２８ａとＣ面６８ａとを有しているが、このようなＣ面を有することは必ずしも必要ではない。
【００３６】
誤挿入防止案内片２３はレセプタクル１のシールドケース２の底面２１に形成されており、プラグ５が逆向きに誤挿入された場合でも誤挿入防止案内片２３の下部は基板１１により支持されるため（図２参照）、誤挿入防止案内片２３の下方（図１において矢印により示されている基板１１側方向）への湾曲が防止される。このため、かなり強い力でプラグ５が逆向きに誤挿入された場合でも、誤挿入防止案内片２３のこのような湾曲が防止され、誤挿入によるレセプタクル１のシールドケース２の変形を防止することができる。
【００３７】
また誤挿入防止案内片２３は、レセプタクル１のシールドケース２の底面２１の一部を開口１ａ内部へ折り曲げて立ち上げた部分であるため、レセプタクル１に誤挿入防止用の突起を設けるための独立したスペースを必要とせず、レセプタクル１の薄型化及び小型化を図ることができる。
【００３８】
プラグ５がレセプタクル１の内部に正しく挿入されると、レセプタクル１の弾性係止片２７がプラグ５の上面６６に形成されている凹部６７と係合し、プラグ５の脱落を効果的に防止することができる。
【００３９】
なお、図１２及び図１３に示すように、レセプタクル１の誤挿入防止案内片２３に切欠き２３ａを形成し、この切欠き２３ａに対応するようにプラグ５の凹部６３に凸部６３ａを形成することも可能である。切欠き２３ａと凸部６３ａとが嵌合する場合にのみ、レセプタクル１へプラグ５を挿入することが可能となる。このため、この切欠き２３ａと凸部６３ａを形成する位置を適宜変更することにより、適応しないレセプタクルへプラグを誤って挿入することを防止することができる。また、この切欠き２３ａは誤挿入防止案内片２３に１以上形成することができ、同様にこの１以上の切欠き２３ａに対応するように１以上の凸部６３ａを凹部６３に形成することができる。
【００４０】
以下、本発明の実施例について述べたが、本発明は上記実施例に限定されることなく本発明の技術的思想に基づいて各種の変更が可能であり、本発明がこれらに及ぶことは当然である。
【図面の簡単な説明】
【００４１】
【図１】本発明に係る実施形態のコネクタに用いるレセプタクル１の斜視図である。なお、基板１１は表示されていない。
【図２】図１に示すレセプタクル１の正面図である。
【図３】図１に示すレセプタクル１の平面図である。
【図４】図１に示すレセプタクル１の底面図である。
【図５】図１に示すレセプタクル１の縦断面図である。
【図６】本発明に係る実施形態のコネクタに用いるプラグ５の斜視図である。
【図７】図６に示すプラグ５の正面図である。
【図８】図６に示すプラグ５の側面図である。
【図９】図６に示すプラグ５の平面図である。
【図１０】図６に示すプラグ５の底面図である。
【図１１】図１に示すレセプタクル１と図６に示すプラグ５の接続状態を示す斜視図である。なお、基板１１は図示されていない。
【図１２】図１に示すレセプタクル１の誤挿入防止案内片２３に切欠き２３ａが形成されているレセプタクル１の正面図である。
【図１３】図６に示すプラグ５の凹部６３に凸部６３ａが形成されているプラグ５の正面図である。
【符号の説明】
【００４２】
１  レセプタクル
１ａ  レセプタクル開口
１ｂ  レセプタクル背面部
１１  基板
１１ａ  取付け孔
２、６  シールドケース
２１、６１  底面
２３  誤挿入防止案内片
２３ａ  切欠き
２６、６６  上面
２７  弾性係止片
２８、６８  側面
２８ａ、６８ａ  Ｃ面
２９  係合突起
３、７  接続端子部
３１、７１  接続端子
３２、７２  端子支持部
３３  背面接続端子
４  ハウジング
５  プラグ
５１  プラグ本体
５２  コード
６３、６７  凹部
６３ａ  凸部
６６ａ  上面端部
【図１】
0004774956.tif 000002
【図２】
0004774956.tif 000003
【図３】
0004774956.tif 000004
【図４】
0004774956.tif 000005
【図５】
0004774956.tif 000006
【図６】
0004774956.tif 000007
【図７】
0004774956.tif 000008
【図８】
0004774956.tif 000009
【図９】
0004774956.tif 000010
【図１０】
0004774956.tif 000011
【図１１】
0004774956.tif 000012
【図１２】
0004774956.tif 000013
【図１３】
0004774956.tif 000014